(57)【要約】【課題】構造が簡素で、且つ体積が小さいズームレンズを提供する。【解決手段】固定筒、カム筒、案内筒、第一レンズ組、第二レンズ組及び第三レンズ組を備えるズームレンズにおいて、前記案内筒は前記固定筒に設置され、前記カム筒は前記固定筒に収容され、且つ前記固定筒内で、前記ズームレンズの光軸方向に移動し、前記案内筒は前記カム筒の移動によって、前記ズームレンズの光軸方向に移動し、前記第一レンズ組及び前記第二レンズ組は、前記案内筒及び前記カム筒に設置され、且つ前記カム筒の回転と共に、前記ズームレンズの光軸方向に移動する。【選択図】図３
2013003591.tif 000002
【特許請求の範囲】
【請求項１】
固定筒、カム筒、案内筒、第一レンズ組、第二レンズ組及び第三レンズ組を備えるズームレンズにおいて、
前記案内筒は前記固定筒に設置され、前記カム筒は前記固定筒に収容され、且つ前記固定筒内で、前記ズームレンズの光軸方向に移動し、前記案内筒は前記カム筒の移動によって、前記ズームレンズの光軸方向に移動し、
前記第一レンズ組及び前記第二レンズ組は、前記案内筒及び前記カム筒に設置され、且つ前記カム筒の回転と共に、前記ズームレンズの光軸方向に移動することを特徴とするズームレンズ。
【請求項２】
前記固定筒内部には、互いに離間して設置された複数のカム筒滑槽及び案内筒滑槽が設けられ、前記カム筒の像側と隣接する後端には、前記カム筒滑槽に収容される複数のカムピンが設けられ、
複数の前記案内筒滑槽は、第一案内筒滑槽、第二案内筒滑槽、第三案内筒滑槽、第四案内筒滑槽、第五案内筒滑槽及び第六案内筒滑槽をそれぞれ備え、前記案内筒の像側と隣接する外側の端部には、前記第一案内筒滑槽、前記第二案内筒滑槽及び前記第三案内筒滑槽と対応する位置に、第一ピン、第二ピン及び第三ピンが設けられ、
前記第一ピン、前記第二ピン及び前記第三ピンは前記第一案内筒滑槽、前記第二案内筒滑槽及び前記第三案内筒滑槽にそれぞれ係止されることを特徴とする請求項１に記載のズームレンズ。
【請求項３】
前記第一レンズ組は、第一レンズ筒及び前記第一レンズ筒に設置された複数の第一レンズを備え、前記第一レンズ筒の像側と隣接する端部には、三つのシャッターが設けられ、各々の前記シャッターには、前記第一レンズ筒の像側と隣接する端部が突出し、第一導滑柱が設けられ、各前記第一導滑柱は、前記第一レンズ筒の内壁から突出し、前記カム筒の像側と隣接する一端には複数の開口が設けられ、前記カム筒の外側には三つの第三導向槽とピンとが設けられ、
前記ズームレンズが閉じた際、前記第一導滑柱は前記カム筒の前記開口に収容され、前記ズームレンズをズームする際、前記ピンは前記シャッターに沿って移動し前記第一導滑柱を誘導することで、前記三つの前記第一導滑柱は、前記カム筒の三つの前記第三導向槽内で移動することを特徴とする請求項２に記載のズームレンズ。
【請求項４】
前記案内筒の内壁には、三つの第一滑槽が設けられ、前記第一滑槽及び前記カム筒の軸線は平行であり、前記第一滑槽の一端は、前記案内筒の端部を貫通し、前記シャッターの外側には、三つの前記第一滑槽に対応する導滑部が設けられ、前記ズームレンズがズームする際、前記第一レンズ組の導滑部は、前記案内筒の前記第一滑槽の軸方向に移動することを特徴とする請求項３に記載のズームレンズ。
【請求項５】
前記第二レンズ組は、一つの第二レンズ筒及び前記第二レンズ筒に収容された複数の第二レンズを備え、前記第二レンズ筒の外側の像側と近隣する端部には、三つの第二導滑柱が設けられ、前記第二レンズ筒の外側の軸方向中央部には、三つの第三導滑柱が設けられ、前記カム筒４０内部には、複数の第一導向槽及び複数の第二導向槽が設けられ、
前記第二導滑柱及び前記第三導滑柱は、前記第一導向槽及び前記第二導向槽内でそれぞれ移動することを特徴とする請求項３または４に記載のズームレンズ。
【請求項６】
前記第二導滑柱及び前記第三導滑柱は、前記カム筒の内側にそれぞれ近接して設置され，隣接する前記第二導滑柱及び前記第三導滑柱は、同じ直線上にあり、前記第二レンズ筒の軸線と平行であることを特徴とする請求項５に記載のズームレンズ。
【請求項７】
前記ズームレンズは、さらにブラケットを備え、前記ブラケットは円形の底板と、前記底板から垂直に延伸する突板と、三つの係止板と、導向部及び導向突柱と、を備え、前記第二レンズ筒の外側には複数の凹槽が設けられ、
複数の前記突板は、前記第二レンズ筒の複数の前記凹槽にそれぞれ収容され、前記カム筒の像側と近隣する一端には、三つの收容槽が設けられ、三つの前記係止板は前記收容槽にそれぞれ収容され、三つの前記係止板には、前記第一案内筒滑槽、前記第三案内筒滑槽及び前記第六案内筒滑槽と係合する第一係止部が設けられ、前記導向部及び前記導向突柱は、前記第四案内筒滑槽及び前記第二案内筒滑槽にそれぞれ係合されることを特徴とする請求項６に記載のズームレンズ。
【請求項８】
前記第三レンズ組は、レンズホルダー及び前記レンズホルダーに設置された第三レンズを備えることを特徴とする請求項１から７のいずれか一項に記載のズームレンズ。
【請求項９】
前記カム筒の像側と隣接する後端の外側には歯状部が設けられ、前記歯状部は外部の起動装置と係合し、且つ外部の起動装置の制御によって、前記固定筒を回転させ、前記歯状部が設置された部分の前記カム筒の軸心に対する中心角は１２０度〜１８０度であることを特徴とする請求項１から８のいずれか一項に記載のズームレンズ。
【発明の詳細な説明】
【技術分野】
【０００１】
本発明は、ズームレンズに関するものである。
【背景技術】
【０００２】
従来の伸縮するズームレンズは、第一組の移動筒及び第二組の移動筒を備える。一般には、該第一組の移動筒及び第二組の移動筒は、案内筒にそれぞれ設置され、且つ第一組の移動筒は被写体と最も隣接する。また、前記第一組の移動筒は、前記ズームレンズ中で最も直径が大きなレンズを備え、該レンズは被写体と最も隣接する位置に設置される。前記ズームレンズの光学システムを設計する際、光束において、光強度などに関わる要素は決まっているため、前記第一組の移動筒の中の最大レンズの直径も決まっている。また、従来の前記ズームレンズの外壁に前記案内筒と接続する構造を設けなければならず、これにより、前記ズームレンズの全体の直径もさらに大きくなるので、前記ズームレンズは小型化し難い。
【発明の概要】
【発明が解決しようとする課題】
【０００３】
以上の問題点に鑑みて、本発明は、構造が簡素で、且つ体積が小さいズームレンズを提供することを目的とする。
【課題を解決するための手段】
【０００４】
前記目的を達成するために、本発明に係るズームレンズは、固定筒、カム筒、案内筒、第一レンズ組、第二レンズ組及び第三レンズ組を備えるズームレンズにおいて、前記案内筒は前記固定筒に設置され、前記カム筒は前記固定筒に収容され、且つ前記固定筒内で、前記ズームレンズの光軸方向に移動し、前記案内筒は前記カム筒の移動によって、前記ズームレンズの光軸方向に移動し、前記第一レンズ組及び前記第二レンズ組は、前記案内筒及び前記カム筒に設置され、且つ前記カム筒の回転と共に、前記ズームレンズの光軸方向に移動する。
【発明の効果】
【０００５】
本発明に係るズームレンズは、従来の伸縮するズームレンズと比べ、前記固定筒、前記カム筒及び前記案内筒が前記第一レンズ組及び前記第二レンズ組に合わせて、前記ズームレンズ全体のズームを行う。これにより、前記ズームレンズの構造の簡略化及び、前記ズームレンズ全体の体積を減らすことができる。また、部品点数を節約できるため、生産コストも減らすことができる。
【図面の簡単な説明】
【０００６】
【図１】本発明に係るズームレンズの斜視図である。
【図２】図１に示したＩＩ−ＩＩ線に沿ったズームレンズの断面図である。
【図３】図１に示したズームレンズの分解図である。
【図４】図３に示したズームレンズの第一レンズ組の斜視図である。
【図５】図３に示したズームレンズのガム筒の斜視図である。
【図６】図１に示したズームレンズの使用状態を示した図である。
【図７】図１に示したズームレンズの他の使用状態を示した図である。
【発明を実施するための形態】
【０００７】
以下、図面に基づいて、本発明に係るズームレンズについて詳細に説明する。
【０００８】
図１〜図３を参照すると、本発明に係るズームレンズ１００は、固定筒３０、カム筒４０、案内筒５０、第一レンズ組６０、第二レンズ組７０、第三レンズ組８０及びブラケット９０を備える。前記案内筒５０は前記固定筒３０内部に設置され、前記カム筒４０は、前記固定筒３０内部に収容され、且つ前記固定筒３０内部から前記ズームレンズ１００の光軸方向で光軸回りに回転しながら移動する。前記案内筒５０は、前記カム筒４０の回転と共に、前記ズームレンズ１００の光軸方向に移動する。前記第一レンズ組６０は前記案内筒５０内に設置され、前記第二レンズ組７０は前記カム筒４０内に設置される。また、前記第一レンズ組６０及び前記第二レンズ組７０は、前記カム筒４０の移動と共に、前記ズームレンズ１００の光軸方向に移動する。前記第三レンズ組８０は、一つの起動器（図示せず）によって、前記ズームレンズ１００の光軸方向に光軸回りに回転しながら移動する。
【０００９】
前記固定筒３０内部は、互いに離れて設置されたカム筒滑槽３２及び複数の案内筒滑槽３４を備える。前記カム筒滑槽３２は、前記固定筒３０の像側に近隣する後端から傾斜して前記固定筒３０内部に向かい、且つ前記固定筒３０の被写体側に近隣する前端まで延伸して形成される。複数の前記案内筒滑槽３４は、第一案内筒滑槽３４ａ、第二案内筒滑槽３４ｂ、第三案内筒滑槽３４ｃ、第四案内筒滑槽３４ｄ、第五案内筒滑槽３４ｅ及び第六案内筒滑槽３４ｆを備える。前記第一案内筒滑槽３４ａ、前記第二案内筒滑槽３４ｂ、前記第三案内筒滑槽３４ｃ、前記第四案内筒滑槽３４ｄ、前記第五案内筒滑槽３４ｅ及び前記第六案内筒滑槽３４ｆは全て前記固定筒３０の軸線とほぼ平行となるように、且つ前記固定筒３０内部に互いに離間して設置される。
【００１０】
前記案内筒５０は前記固定筒３０内部に設置され、前記案内筒５０外壁の像側に近隣する端部には、前記案内筒滑槽３４の前記第一案内筒滑槽３４ａ、前記第二案内筒滑槽３４ｂ及び前記第三案内筒滑槽３４ｃにそれぞれ係止される第一ピン５１、第二ピン５２及び第三ピン５３が設けられている。前記案内筒５０の内部には、三つの第一滑槽５４が、前記カム筒４０の軸線に平行となるようにそれぞれ設置されている。また、前記カム筒４０の一端は、前記案内筒５０の一端から突出している。
【００１１】
図４を併せて参照すると、前記第一レンズ組６０は、第一レンズ筒６２及び前記第一レンズ筒６２内に設置された第一レンズ６４を備える。前記第一レンズ筒６２は、前記第一レンズ６４を固定する第一固定部６２２を備える。前記第一レンズ筒６２の像側に近隣する端部には、三つのシャッター６３が設置され、各々の前記シャッター６３は、前記第一レンズ筒６２の像側に近隣する端部にそれぞれ設けられている。また、各々の前記シャッター６３には、第一導滑柱６２５がそれぞれ設けられ、各々の該第一導滑柱６２５は、前記第一レンズ筒６２の内壁に設けられている。また、前記シャッター６３の外側には、三つの前記第一滑槽５４とそれぞれ対応する三つの導滑部６６が設けられている。
【００１２】
図５を併せて参照すると、前記カム筒４０は、前記第一レンズ筒６２内部に設置される。前記カム筒４０の内壁は、複数の第一導向槽４２及び複数の第二導向槽４４を備える。複数の前記第一導向槽４２及び複数の前記第二導向槽４４は互いに離間して設置され、且つ前記カム筒４０の像側に近隣する後端から、被写体側に近隣する前端まで延伸して形成されている。前記カム筒４０の後端の外縁には、その外縁に沿って歯状部４６が設けられている。前記歯状部４６が設置された部分の前記カム筒４０の軸心に対する中心角は、１２０度〜１８０度である。前記歯状部４６は、外部の起動装置と噛合し、且つ該外部の起動装置の制御によって、前記カム筒４０は回転する。また、本実施形態において、前記歯状部４６の両側及びカム筒４０の後端の外縁における該歯状部４６が設けられていない部分の中央部には、複数の前記固定筒３０の前記カム筒滑槽３２に対応するカムピン４８が設けられている。前記カムピン４８は、前記固定筒３０の前記カム筒滑槽３２の内部に収容されて、前記カム筒４０が回転する際、前記カム筒滑槽３２に沿って回転する。前記カム筒４０の外側には、三つの第三導向槽４７が互いに離間して、且つ軸方向で上下するように円周方向に延在して設置され、前記カム筒４０の像側に近隣する後端から該像側から離れる前端まで延伸している。また、前記カム筒４０には、一つのピン４３が、像側に近接する後端で前記第三導向槽４７の側に隣接して設けられている。
【００１３】
前記第一レンズ筒６２の三つの前記第一導滑柱６２５を、前記第三導向槽４７内にそれぞれ差し込む。また、前記カム筒４０が、前記固定筒３０の前記カム筒滑槽３２に沿って回転する際、前記ピン４３が前記シャッター６３に沿って移動し前記第一導滑柱６２５を誘導することで、三つの前記第一導滑柱６２５は、前記カム筒４０の三つの前記第三導向槽４７内部でそれぞれ移動し、この時、前記第一レンズ組６０は前記案内筒５０の前記第一滑槽５４により軸方向に移動する。
【００１４】
また、前記カム筒４０の像側に近隣する一端には、複数の開口４５及び三つの收容槽４９が設けられている。前記三つの收容槽４９は互いに離間して設置される。
【００１５】
前記第二レンズ組７０は、前記カム筒４０内部に設置され、一つの第二レンズ筒７２と、前記第二レンズ筒７２に収容される複数の第二レンズ７４と、を備える。前記第二レンズ筒７２の外側には、複数の凹槽７２１が設けられる。また、前記第二レンズ筒７２の外側の像側に近隣する端部には、三つの第二導滑柱７２８が設けられており、前記第二レンズ筒７２の外側の軸方向中央部には、三つの第三導滑柱７２９が設けられている。三つの前記第二導滑柱７２８及び三つの前記第三導滑柱７２９は、前記カム筒４０の内側に近隣して設置される。また、前記第二導滑柱７２８及び前記第三導滑柱７２９は同じ直線上に位置し、前記第二レンズ筒７２の軸線と平行である。
【００１６】
前記ズームレンズ１００が閉じる際、前記第一導滑柱６２５は前記カム筒４０の前記開口４５に収容される。前記ズームレンズ１００をズームする際、前記ピン４３は、前記シャッター６３に沿って移動し前記第一導滑柱６２５を誘導することで、三つの前記第一導滑柱６２５は、前記カム筒４０の三つの前記第三導向槽４７内でそれぞれ移動し、前記第一レンズ組６０の前記導滑部６６は前記案内筒５０の前記第一滑槽５４により軸方向に移動する。
【００１７】
前記ブラケット９０は、円形の底板９１と、前記底板９１から垂直方向に延伸して形成された突板９２と、三つの係止板９３と、導向部９４及び導向突柱９５と、を備える。複数の前記突板９２は、対応する前記第二レンズ筒７２の複数の前記凹槽７２１にそれぞれ収容される。また、三つの前記係止板９３は、前記カム筒４０の前記收容槽４９に収容され、且つ三つの前記係止板９３には、前記第一案内筒滑槽３４ａ、前記第三案内筒滑槽３４ｃ及び前記第六案内筒滑槽３４ｆを係止する第一係止部９３０が設けられている。前記導向部９４及び前記導向突柱９５は、前記第四案内筒滑槽３４ｄ及び前記第二案内筒滑槽３４ｂに係止される。前記カム筒４０が前記固定筒３０の前記カム筒滑槽３２に沿って回転する際、前記ブラケット９０は前記導向突柱９５が前記第二案内筒滑槽３４ｂ内に係止されることにより軸方向に動き、前記第二レンズ組７０は前記ブラケット９０と共に前記固定筒３０内で軸方向に動く。同時に、前記第二導滑柱７２８及び前記第三導滑柱７２９は、前記カム筒４０の前記第一導向槽４２及び前記第二導向槽４４内で移動し、前記第二レンズ組７０は、前記突板９２及び導向部９４により軸方向に動く。
【００１８】
前記第三レンズ組８０は、前記第一レンズ筒６２内に設置される。また、前記第一レンズ組６０及び前記第二レンズ組７０の光軸は同軸である。前記第三レンズ組８０は、レンズホルダー８２と、前記レンズホルダー８２に設置された第三レンズ８４と、前記レンズホルダー８２の移動を誘導する複数の誘導レバー８６及び外部の起動装置と噛合する作動部８８と、を備える。前記レンズホルダー８２は、前記誘導レバー８６を覆い、且つ外部の起動装置と噛合する作動部８８によって、位置を制限される。
【００１９】
前記外部の起動装置は、前記カム筒４０を動かす第一起動装置１０及び前記第三レンズ組８０を動かす第二起動装置１１０を備える。前記第一起動装置１０及び前記第二起動装置１１０は、互いに離間して、前記固定筒３０の外側に設置され、且つ前記第一起動装置１０及び前記第二起動装置１１０の前記固定筒３０の中心軸に対する中心角は９０度〜１８０度であるので、前記ズームレンズ１００が占有する空間を減らすことができる。また、前記第一起動装置１０は、前記固定筒３０外側に設置された柱状起動歯車１２０によって、前記固定筒３０内に設置された前記カム筒４０の前記歯状部４６と回転可能に接続される。
【００２０】
前記第二起動装置１１０は、一つの起動レバー１１２を備える。前記作動部８８には、内部に螺旋状のＵ形開口が設けられた係止部８８０を備える。前記起動レバー１１２は、該係止部８８０と噛合し、且つ前記作動部８８を起動して、前記起動レバー１１２に沿って移動させる。
【００２１】
前記ズームレンズ１００は、さらにレンズカバー１３０を備える。前記レンズカバー１３０は、前記第一レンズ組６０の前記第一レンズ筒６２の端部をカバーし、且つ前記第一レンズ組６０の前記第一レンズ６４を保護する。
【００２２】
前記ズームレンズ１００は、さらにアパチャ装置（図示なし）を備え、前記アパチャ装置は前記第二レンズ組７０に設置され、且つ前記第一レンズ組６０と前記第二レンズ組７０との間に設置され、前記第二レンズ組７０の前記第二レンズ７４に入る光束を制御して、前記ズームレンズ１００の像の質を制御する。
【００２３】
図６及び図７を併せて参照すると、前記ズームレンズ１００を閉じた際、前記第二レンズ組７０の第二導滑柱７２８は、前記カム筒４０の前記開口４５に収容される。これにより、前記ズームレンズ１００全体の高さを縮小する。また、前記カム筒４０の外側の前記歯状部４６に対応する中心角は１２０度〜１８０度であるため、前記カムピン４８を前記歯状部４６と同一の平面に設置することで、有効的に空間を節約でき、且つ前記カム筒４０の高さを縮小し、さらに前記ズームレンズ１００の全体の高さまでも縮小することができる。
【００２４】
前記ズームレンズ１００を使用する際、前記第一起動装置１０を、前記柱状起動歯車１２０によって、前記カム筒４０と共に前記固定筒３０に沿って回転させ、前記カム筒４０の前記カムピン４８を、前記カム筒滑槽３２に沿って回転させる。この時、前記カム筒４０は前記固定筒３０の軸方向に移動する。前記カム筒４０が前記固定筒３０の軸方向に移動する際、前記案内筒５０は前記カム筒４０と共に動き、前記案内筒５０の前記第一ピン５１、前記第二ピン５２及び前記第三ピン５３が前記第一案内筒滑槽３４ａ、前記第二案内筒滑槽３４ｂ及び前記第三案内筒滑槽３４ｃとそれぞれ係合するので、前記案内筒５０は前記第一案内筒滑槽３４ａ、前記第二案内筒滑槽３４ｂ及び前記第三案内筒滑槽３４ｃに沿って、前記固定筒３０内で軸方向に動く。前記カム筒４０は、前記固定筒３０と前記案内筒５０との内部で回転すると同時に、前記案内筒５０と共に前記固定筒３０の軸方向に動く。同時に、前記案内筒５０内に設置された前記第一レンズ組６０及び前記第二レンズ組７０は、前記カム筒４０と共に前記固定筒３０の軸方向に移動し、前記案内筒５０が止まるまで移動する。前記ピン４３は前記シャッター６３に沿って移動し前記第一導滑柱６２５を誘導することで、三つの前記第一導滑柱６２５は、前記カム筒４０の前記第三導向槽４７内でそれぞれ移動し、且つ前記第一レンズ組６０の前記導滑部６６と共に、前記案内筒５０の第一滑槽５４の軸方向に移動する。前記第一レンズ組６０は、前記カム筒４０の回転と共に、前記ズームレンズ１００の軸方向に展開して、ズームする。前記第一レンズ組６０及び前記第二レンズ組７０のズームが終わると、前記第三レンズ組８０は、第二起動装置１１０の作動によって、前記ズームレンズ１００の軸方向に移動して、前記ズームレンズ１００全体のズームを行う。
【００２５】
前記ズームレンズ１００は、前記固定筒３０、前記カム筒４０及び前記案内筒５０が前記第一レンズ組６０及び前記第二レンズ組７０に合わせて、前記ズームレンズ１００全体のズームを行う。これにより、前記ズームレンズ１００の構造の簡略化及び前記ズームレンズ１００全体の体積を減らすことができる。また、部品点数を節約できるため、生産コストも減らすことができる。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２７】
１００    ズームレンズ
３０      固定筒
４０      カム筒
５０      案内筒
６０      第一レンズ組
７０      第二レンズ組
８０      第三レンズ組
９０      ブラケット
３２      カム筒滑槽
３４      案内筒滑槽
３４ａ    第一案内筒滑槽
３４ｂ    第二案内筒滑槽
３４ｃ    第三案内筒滑槽
３４ｄ    第四案内筒滑槽
３４ｅ    第五案内筒滑槽
３４ｆ    第六案内筒滑槽
５１      第一ピン
５２      第二ピン
５３      第三ピン
５４      第一滑槽
６２      第一レンズ筒
６４      第一レンズ
６２２    第一固定部
６２５    第一導滑柱
６３      シャッター
６６      導滑部
４２      第一導向槽
４３      ピン
４４      第二導向槽
４５      開口
４６      歯状部
４８      カムピン
４７      第三導向槽
４９      收容槽
７２      第二レンズ筒
７４      第二レンズ
７２１    凹槽
７２８    第二導滑柱
７２９    第三導滑柱
９１      底板
９２      突板
８２      レンズホルダー
９３      係止板
９４      導向部
９５      導向突柱
９３０    第一係止部
８４      第三レンズ
８６      誘導レバー
８８      作動部
１０      第一起動装置
１１０    第二起動装置
１２０    起動歯車
１１２    起動レバー
１３０    レンズカバー
８８０    係止部
【図１】
2013003591.tif 000003
【図２】
2013003591.tif 000004
【図３】
2013003591.tif 000005
【図４】
2013003591.tif 000006
【図５】
2013003591.tif 000007
【図６】
2013003591.tif 000008
【図７】
2013003591.tif 000009